(57)【要約】      （修正有）【課題】パッティング時、ゴルファーにさらに安定した姿勢を保持させ、ビギナーも容易にパッティングできるゴルフクラブを提供すること。【解決手段】ゴルフパターにおいて、グリップ部は、第１グリップ部と、第２グリップ部とで備えられるが、第１グリップ部は、その端部が前記目標方向の反対方向に突出され、ゴルファーが目標方向の手で前記突出された端部を把持し、第２グリップ部は、第１グリップ部から前記ヘッドに向かって湾曲するべく延び、ゴルファーが目標方向の反対方向の手で把持する。そして、第１グリップ部を握ったゴルファーの手のうち、第１グリップ部を把持していない少なくとも１本の指が、目標方向の反対方向のほぼヒジ内側部分の接触地点に接触するべくするが、第２グリップ部を握ったゴルファーの目標方向の反対方向の手の手首関節部と、接触地点と、第１グリップ部を握った目標方向の手の手首関節部とがほぼ三角形を保持するようにする。【選択図】図３
2005270670.tif 000002
【特許請求の範囲】
【請求項１】
シャフト部と、
前記シャフト部の一端に備えられてゴルファーが把持するグリップ部と、
前記シャフト部の他端に備えられてゴルフボールを目標方向に打撃するヘッドと、を含み、
前記グリップ部は、
その端部が前記目標方向の反対方向に突出され、ゴルファーが目標方向の手で前記突出された端部を把持する第１グリップ部と、
前記第１グリップ部から前記ヘッドに向かって湾曲するべく延び、ゴルファーが目標方向の反対方向の手で把持する第２グリップ部と、を含み、
前記第１グリップ部を握ったゴルファーの手のうち、前記第１グリップ部を把持していない少なくとも１本の指が、前記目標方向の反対方向の大体ヒジ内側部分の接触地点に接触するべくするが、前記第２グリップ部を握ったゴルファーの目標方向の反対方向の手の手首関節部と、前記接触地点と、前記第１グリップ部を握った目標方向の手の手首関節部とが、ほぼ三角形を保持するように備えられたことを特徴とするゴルフパター。
【請求項２】
前記第２グリップ部のうち、少なくとも目標方向の反対側端部は前記目標方向の反対方向に突出され、前記第２グリップ部の突出部分はゴルファーの前記目標方向の反対方向の手の内側部分に接触され、前記第２グリップ部を把持した手は、その手首関節部を中心にその腕と所定角度をなすことを特徴とする請求項１に記載のゴルフパター。
【請求項３】
前記グリップ部は、前記第２グリップ部の突出部分から前記第１グリップ部の突出部分まで前記目標方向に向かって突出するべく湾曲されて形成されたことを特徴とする請求項２に記載のゴルフパター。
【請求項４】
前記シャフトは、前記第１グリップ部の内部を直線状に貫通することを特徴とする請求項１に記載のゴルフパター。
【請求項５】
前記接触地点には、第１グリップ部を握ったゴルファーの手のうち、親指と人さし指とが相互離隔された状態で接触されることを特徴とする請求項１に記載のゴルフパター。
【発明の詳細な説明】
【技術分野】
【０００１】
本発明は、ゴルフパターに係り、より詳細には、アドレスからインパクトの後まで安定した姿勢を保持可能に考案されたゴルフパターに関する。
【背景技術】
【０００２】
パッティング時には、図１に示したようなゴルフパターを使用するが、このゴルフパターは手でグリップするように備えられたグリップ部１０と、これに連結されるシャフト部２０と、シャフト部２０の一端に結合されるヘッド３０で構成される。ゴルフパター用ヘッド３０はロフトが小さい。
【０００３】
パッティングを上手にするには、基本的で、かつ安定した姿勢を身に付けることがさらに重要である。
【０００４】
一般的にパッティングのための基本アドレスは、図２に示されたように、両肩と両手で作った三角形を保持しつつ、頭は固定した状態で手首部位が変形されないようにし、時計錘の振り子運動をイメージして左右対称にストロークすることである。
【０００５】
この基本的なアドレスで、図２に示したように、両肩Ａ、Ｂと、両手とがグリップ部１０を握った地点Ｃ及び両ヒジがなす五角形と、三角形Ａ−Ｂ−Ｄの構図を保持し続けることが最も重要である。
【０００６】
しかし、このような五角形は、パッティング時、意図とは異なって、手首と両腕との関節を曲げたり、頭を回すことによって、前述した基本アドレス時の五角形の構図及び三角形Ａ−Ｂ−Ｄの構図を崩してしまうことが多いために、正確性が落ちることになる。これに対して、多くの練習と努力とを必要とし、常に不安定な形である。
【０００７】
このために、パッティング時の姿勢をより安定的に保持するために、一部のゴルファーの間では、一般のパターよりシャフトの長いロッグパターを利用することもある。しかし、これも同様に、変形されやすい関節部が多くて、ゴルファーの個人差によって多くの努力と時間とを必要とする。
【０００８】
特許文献１には、ゴルフパターが開示されている。開示されたゴルフパターは、グリップ部がボールの進行方向と反対方向に折り曲げられているものであって、下端部はシャフトの一般的な直線軸に沿って延び、上部はボールの進行方向と反対方向に約２０゜折り曲げられている。このようなゴルフパターは、折り曲げられた上部を握ったゴルファーの拳が下端部を握った腕に接触され、安定した姿勢を保持可能にしたものである。
【０００９】
しかし、このようなパターは、上部がシャフトに対して折り曲げられており、シャフトが直線を保持しなければならないという米国ゴルフ協会の基準を外れるために、練習用としては用いられうるが、実際のゲームには適用できないという問題がある。また、パッティング時にシャフトが地面に対して垂直になるように握るために、アドレスまたはインパクト時の姿勢が崩れることがあり、手首部の角度が変化されうる。
【００１０】
【特許文献１】ＵＳ４，６２５，９６５号明細書
【発明の開示】
【発明が解決しようとする課題】
【００１１】
本発明は、前記問題点を解決するために案出されたものであって、パッティング時にゴルファーにより安定した姿勢を保持させ、ビギナーも容易にパッティング可能にするゴルフパターを提供するところにその目的がある。
【課題を解決するための手段】
【００１２】
前記目的を達成するために本発明は、シャフト部と、前記シャフト部の一端に備えられてゴルファーが把持するグリップ部と、前記シャフト部の他端に備えられてゴルフボールを目標方向に打撃するヘッドと、を含むゴルフパターを提供する。前記グリップ部は、第１グリップ部と第２グリップ部とで構成されるが、第１グリップ部は、その端部が前記目標方向の反対方向に突出され、ゴルファーが目標方向の手で前記突出された端部を把持するものであり、第２グリップ部は、前記第１グリップ部から前記ヘッドに向かって湾曲するべく延び、ゴルファーが目標方向の反対方向の手で把持するものである。そして、前記第１グリップ部を握ったゴルファーの手のうち、前記第１グリップ部を把持していない少なくとも１本の指が、前記目標方向の反対方向の大体ヒジ内側部分の接触地点に接触されるようにするが、前記第２グリップ部を握ったゴルファーの目標方向の反対方向の手の手首関節部と、前記接触地点と、前記第１グリップ部を握った目標方向の手の手首関節部とが、ほぼ三角形を保持させる。
【発明の効果】
【００１３】
本発明の望ましい実施例に係るゴルフパターを使用すれば、アドレス姿勢において、腕を自然に延ばした状態でゴルフクラブを取ってスイング中に腕や手首の関節を曲げてしまう恐れが減る。
【００１４】
したがって、ゴルファーならば、誰でも容易にアドレス姿勢で形成される三角形構図をパッティング動作が終わるまでより安定的に保持可能となって、正確なスイングが可能となる。
【００１５】
また、左手または左手が把持しているグリップ部の部分が右腕に接触されているので、方向キーの役割をし、これにより、方向性も向上する。
【発明を実施するための最良の形態】
【００１６】
以下、添付された図面に基づいて本発明に係る望ましい実施例を詳細に説明する。
【００１７】
図３は、本発明の望ましい一実施例に係るゴルフパターの正面図であり、図４は、その側面図である。そして、図５は、ゴルファーが本発明の望ましい一実施例に係るゴルフパターを握った姿勢を正面で見た図面であり、図６は、本発明のゴルフパターを用いたパッティング方法を説明するために、図５の各地点を連結した概略的な図面である。図７は、ゴルファーの頭上側で見た時の各地点の関係を示す図面である。
【００１８】
図３に示されたように、本発明の実施例であるゴルフパターは、骨格となるシャフト部２と、このシャフト部２の一端、すなわち、図３から見る時、上端に備えられてゴルファーが把持するグリップ部１と、前記シャフト部２の他端、すなわち、図３から見る時、下端に備えられてゴルフボールＨを所定の目標方向Ｘに打撃するヘッド３を具備する。
【００１９】
前記グリップ部１は、パッティング時に両手で握る部分であって、合成樹脂、ゴム、木材などグリップ用の多様な素材よりなり、大体中央部に沿ってシャフト部２がグリップ部１の端部まで延びるように形成される。
【００２０】
そして、シャフト部２及びヘッド３は、通常、金属材よりなりうるが、従来の一般的なゴルフパターのシャフト部及びヘッドがそのまま採用されうる。したがって、その具体的な説明は省略する。
【００２１】
前記グリップ部１は、図３に示されたように、大体半分にして、上端部に一方の手が把持する第１グリップ部１１と、下端部に他方の手が把持する第２グリップ部１２とで備えられる。
【００２２】
前記第１グリップ部１１は、ゴルファーが前記目標方向Ｘの手で把持する部分であり、前記第２グリップ部１２は目標方向Ｘと反対方向の手で把持する部分である。すなわち、右利きの場合、図５に示されたように、第１グリップ部１１は左手ＬＨが把持し、第２グリップ部１２は右手ＲＨが把持する。図示されていないが、左利きの場合、第１グリップ部１１は右手が把持し、第２グリップ部１２は左手が把持することは、言うまでもない。
【００２３】
以下では、右利きを中心に説明し、左利きの場合は、その逆になる。
【００２４】
このような第１グリップ部１１は、ゴルフボールＨが進む方向、すなわち、目標方向Ｘの反対方向に突出された第１突出部１１１を有する。本発明の望ましい第１実施例によれば、この第１突出部１１１は、第１グリップ部１１の端部に位置しうる。図３示されたように、第２グリップ部１２から第１突出部１１１までは前記目標方向Ｘに突出するべく軟らかい曲率をなしつつ、湾曲されている。
【００２５】
一方、ゴルファーは、図５に示されたように、左手ＬＨで前記第１突出部１１１を含む第１グリップ部１１を把持するようになるが、本発明の第１実施例において、前記第１突出部１１１はゴルファーの左手ＬＨがある程度支持される分のみ突出されている。
【００２６】
把持した後には、図５に示されたように、左手ＬＨの親指と人指し指とで右腕ＲＡを支持する。この際、左手ＬＨの親指と人指し指は右腕ＲＡの大体ヒジ内側部分を支持しうる。しかし、必ずしもこれに限定されるものではなく、第１突出部１１１を握った左手ＬＨ自体をそのまま右腕ＲＡのヒジ内側部分に接触させて支持しうる。右腕ＲＡのうち、このように左手ＬＨの部分が接触された部位のほぼ中央部分を、以下では接触地点Ｆとする（図５参照）。重要な点は、左手の指の形とは関係なく、左手全体を用いてＦ−Ｅ区間を形成するということである。
【００２７】
このように、ゴルファーの右手ＲＨと左手ＬＨとが各々第１及び第２グリップ部１１、１２を把持することによって、図５に示されたように、ゴルファーの両肩Ａ、Ｂと、第２グリップ部１２を把持した右手ＲＨの手首関節部ＣがＡ−Ｂ−Ｃの三角形を保持する。そして、その他にも、前記第２グリップ部１２を把持した右手ＲＨの手首関節部Ｃと、前記接触地点Ｆと、前記第１突出部１１１を含む第１グリップ部１１を把持した左手ＬＨの手首関節部Ｅとがもう１つの三角形Ｃ−Ｅ−Ｆをなす。これをさらに詳細に説明すれば次の通りである。
【００２８】
図５及び図６に示されたように、本発明の第１実施例であるゴルフパターを用いたアドレス姿勢を正面で見た時、ゴルファーの両肩をＡ、Ｂとし、第２グリップ部１２を把持した右手の手首関節部をＣとする。この際、ゴルファーは右腕を自然に延ばした状態でシャフト部２の軸線と出合う第２グリップ部１２の一部分を握ることになる。
【００２９】
一般的なアドレス姿勢でゴルフボールＨの位置は、ゴルファーの頭から垂直線上の下部地点に位置し、パッティングによってボールは目標方向であるＸ方向に進行する。Ｄは、ヘッド３の打撃面の打撃点に該当する。
【００３０】
一方、ゴルファーの左手ＬＨは、前述したように、前記第１突出部１１１を含む第１グリップ部１１の部分全体を把持することになるが、この際、第１グリップ部１１を把持した左手ＬＨの手首関節部を地点Ｅとする。そして、両腕の接触点、すなわち、左手ＬＨの親指と人指し指が右腕ＲＡのヒジ内側部分を支持した地点の中央部をＦとする。
【００３１】
この際、左手ＬＨの親指と人指し指とが右腕ＲＡにＶ字形に接触することによって、ゴルフボールＨを目標方向に送るためのスイング動作中にもこの左手ＬＨが右腕ＲＡから外れず、Ｆ−Ｅ間距離を保持しうる。そして、このように左手ＬＨを、右腕ＲＡで固定させて、身体の左右が出合うことによって、その接触感覚を通じてパッティング動作中にボディー全体の形態及び均衡を保持させる重要な役割も行う。
【００３２】
また、図７のように、前記Ｅ地点と、Ｆ地点とを連結した線Ｅ−Ｆが目標方向（Ｘ）とほぼ平行線をなして、ヘッド３の打撃面がアドレス及びインパクト時に目標方向と直角を保持する。したがって、前記のような構造は方向キーの役割を行えるので、正確な方向性を保持しやすくなる。
【００３３】
このような基本姿勢で前記地点Ａ、Ｂ、Ｃは、従来のアドレス構図と同様に、Ａ−Ｂ−Ｃの三角形構図をなすと同時に、図６に示されたように、前記地点Ｃ、Ｅ、ＦもまたＣ−Ｅ−Ｆの小さな三角形構図をなす。
【００３４】
ここで、三角形Ａ−Ｂ−Ｃ及びＣ−Ｅ−Ｆの辺のうち、辺Ａ−Ｃ、及び辺Ｆ−Ｃは右腕を延ばした状態になるので、パッティング中にも長さ変化がほとんどなくなる。そして、辺Ｃ−Ｅは、固定体であるグリップ部の長さに依存するものであるために、形状に関係なく長さが保持される。辺Ｅ−Ｆは左手が、指と手首との間でその長さを保持しうる。
【００３５】
一方、辺Ｂ−Ｅは、意図的な練習によりその長さが保持されうるものであって、Ｆ地点で身体の左右が出合うことにより、若干の練習だけでも人間の感覚を通じて身体の左右均衡を容易に保持可能になる。
【００３６】
このように、特に、小さな三角形の各辺に該当するＣ−Ｅ、Ｅ−Ｆ、Ｆ−Ｃは各辺の長さ及び角度変形が最小化される形として、三角形構造を容易に保持できるので、これにより、自然に体全体の三角形構図（Ａ−Ｂ−Ｃ）も容易には崩れなくなり、その三角形の構図をアドレス時からインパクト以後まで非常に容易に保持可能になる。
【００３７】
すなわち、従来の場合には、パッティング動作時、両腕と手首の関節などを動かすようになって、アドレス姿勢時の三角形構図を容易に崩してしまうが、本発明に係るパッティング用ゴルフパターを使用すれば、誰でも容易にアドレス時の三角形構図をパッティング動作中に保持できて、さらに安定し、正確なパッティングを可能にする。
【００３８】
一方、図３から分かるように、本発明のゴルフパターは、第２グリップ部１２にも目標方向Ｘと逆方向に突設された第２突出部１２１が備えられうる。この第２突出部１２１は、図５に示されたように、右手が第２グリップ部１２を握る時に、手首があらかじめ曲げられた状態で握るようにするために、ゴルファーはより容易に第２グリップ部１２を握ることができる。そして、第２グリップ部１２を握った手の手首があらかじめ曲げられているので、パッティング中にこの手首の変化が最小化でき、これにより安定したパッティングができる。
【００３９】
図６から分かるように、Ａ−Ｂ−Ｃの三角形を保持し、その内側にＣ−Ｅ−Ｆの三角形を保持するためには、アドレス時にシャフト部２、例えば、図６でＤ−Ｅが地面に対して所定角度で傾いていることが望ましい。この際、傾いたシャフト部２により傾いたグリップ部１を右手の手首が自然に曲げられた状態で容易に把持するためには、右手が握る方向に向かって所定高さに突出された第２突出部１２１が必要である。したがって、この第２突出部１２１により、ゴルファーは、アドレス時からインパクト以後まで安定した三角形構図を保持し続けられる。
【００４０】
前記第２突出部１２１は、ゴルファーが右手ＲＨで第２グリップ部１２を把持した時、右手ＲＨの内側部分に接触できる程度のみ突出させれば良い。
【００４１】
したがって、この第２突出部１２１は、第１突出部１１１と共に、図３のように、前記グリップ部１に全体的に軟らかな曲率を有させる。すなわち、前記グリップ部１は、図３に示されたように、前記第１突出部１１１から第２突出部１２１までは目標方向Ｘに軟らかに突出さるべく緩慢な曲率を有し、湾曲形成されうる。この際、上端と下端とがゴルフボールの進行方向と逆方向に突出され、この突出された部分が軟らかな曲率を有するように連結されて中央部がゴルフボールの進行方向に飛び出たような形になりうる。この際、もちろんシャフト部２はこのグリップ部１の上端まで延びることができる。
【００４２】
このようなグリップ部１は、図４に示されたように、その側面から見た時、その厚さにほとんど変化がなく形成されうる。
【００４３】
前述したような本発明の望ましい一実施例に係るゴルフパター及びこれを把持するグリップ部は、本発明の出願日現在のＲ＆ＡとＵＳＧＡ規定内で形成された形態であるために、練習用はもとより、実際の試合でも十分に使用できる。
【産業上の利用可能性】
【００４４】
本発明のゴルフパターは、練習用及び試合用ゴルフパターとして使われ、その技術的思想は他のゴルフクラブにも適用されうる。
【図面の簡単な説明】
【００４５】
【図１】従来のゴルフパターの一例を示す斜視図である。
【図２】ゴルファーが従来のゴルフパターを使用してアドレスを行なった正面姿勢を示す概略図である。
【図３】本発明の第１実施例に係るゴルフパターの正面図である。
【図４】図３の側面図である。
【図５】ゴルファーが本発明の望ましい第１実施例に係るパッティング用ゴルフパターを握った姿勢を正面から見た概略図である。
【図６】本発明のゴルフパターを用いたパッティング方法を説明するために、図５の各地点を連結した概略図である。
【図７】ゴルファーの頭上側から見た時の各地点の関係を示す概略図である。
【符号の説明】
【００４６】
１  グリップ部
２  シャフト部
３  ヘッド
１１  第１グリップ部
１２  第２グリップ部
１１１  第１突出部
１２１  第２突出部
Ｈ  ゴルフボール
Ｘ  目標方向
【図１】
2005270670.tif 000003
【図２】
2005270670.tif 000004
【図３】
2005270670.tif 000005
【図４】
2005270670.tif 000006
【図５】
2005270670.tif 000007
【図６】
2005270670.tif 000008
【図７】
2005270670.tif 000009